(57)【要約】Ｎｏｎ−３ＧＰＰアクセスネットワークを含む移動通信システムにおいて、ＰＷＳの導入を可能とする通信装置を提供することを目的とする。本開示の通信装置（１０）は、モバイル通信システムにおいて用いられる配信エリアと、モバイル通信システムとは異なるアクセスシステムに接続している通信端末の位置を示す位置情報とを関連付けて管理する位置情報管理部（１１）と、通信端末の現在位置を示す位置情報に基づいて、通信端末と、通信端末が所属する配信エリアと、を関連付けて管理する通信端末管理部（１２）と、配信先として配信エリアが指定された配信データを受信した場合、配信先を配信エリアに関連付けられた通信端末に変更した配信データを通信端末へ送信する通信部（１３）と、を備える。
2019160061.tif 000002
【特許請求の範囲】
【請求項１】
モバイル通信システムにおいて用いられる配信エリアと、前記モバイル通信システムとは異なるアクセスシステムに接続している通信端末の位置を示す位置情報とを関連付けて管理する位置情報管理手段と、
前記通信端末の現在位置を示す位置情報に基づいて、前記通信端末と、前記通信端末が所属する配信エリアと、を関連付けて管理する通信端末管理手段と、
配信先として前記配信エリアが指定された配信データを受信した場合、配信先を前記配信エリアに関連付けられた前記通信端末に変更した前記配信データを前記通信端末へ送信する通信手段と、を備える通信装置。
【請求項２】
前記通信端末管理手段は、
前記アクセスシステムを介して、前記通信端末から接続を要求するメッセージを受信し、前記メッセージに含まれる位置情報に基づいて、前記通信端末と、前記通信端末が所属する配信エリアと、を関連付けて管理する、請求項１に記載の通信装置。
【請求項３】
前記通信手段は、
前記モバイル通信システムにおいて前記配信エリアを指定したブロードキャスト通信を用いて一斉に複数の通信端末へ送信される配信データを、ユニキャスト通信を用いて前記アクセスシステムに接続している通信端末へ送信する、請求項１又は２に記載の通信装置。
【請求項４】
前記位置情報は、
前記通信端末の位置、もしくは、前記通信端末が接続している中継装置の位置を示す、請求項１乃至３のいずれか１項に記載の通信装置。
【請求項５】
前記配信エリアは、
前記モバイル通信システムにおいて定義されたセル、ＴＡ（Tracking Area）、及びＥＡ（Emergency Area）の少なくとも１つを指定されたエリアである、請求項１乃至４のいずれか１項に記載の通信装置。
【請求項６】
前記通信端末管理手段は、
前記メッセージに含まれる位置情報が、前記位置情報管理手段において管理されていない場合、前記メッセージの送信元である通信端末の接続を拒否する、請求項２に記載の通信装置。
【請求項７】
前記通信手段は、
前記通信端末管理手段において、前記通信端末と関連付けられて管理されている前記配信エリアに関する情報を、前記配信データの配信元である配信装置へ送信する、請求項１乃至６のいずれか１項に記載の通信装置。
【請求項８】
前記通信手段は、
前記通信端末管理手段において、前記通信端末と関連付けられて新たに管理される配信エリアに関する情報を、前記配信装置へ送信する、請求項７に記載の通信装置。
【請求項９】
前記通信手段は、前記通信端末管理手段から削除された配信エリアに関する情報を、前記配信装置へ送信する、請求項７又は８に記載の通信装置。
【請求項１０】
モバイル通信システムにおいて用いられる配信エリアと、前記配信エリアに所属する通信端末へ前記通信端末を宛先とする配信データを送信する通信装置とを関連づけて管理する通信装置管理手段と、
配信エリアを指定した配信データを、前記配信エリアと関連付けて管理されている通信装置へ送信する通信手段と、を備え、
通信装置管理手段は、
前記通信装置から、前記通信端末と関連付けて管理されている前記配信エリアに関する情報を受信した場合に、前記配信エリアに関連付けて管理する情報として前記通信装置を追加する、配信装置。
【請求項１１】
前記通信装置管理手段は、
前記通信装置から、前記通信端末と関連付けて管理されている前記配信エリアを削除したこと示す情報を受信した場合、前記配信エリアと関連付けて管理する情報から前記通信装置を削除する、請求項１０に記載の配信装置。
【請求項１２】
モバイル通信システムにおいて用いられる配信エリアと、前記モバイル通信システムとは異なるアクセスシステムに接続している通信端末の位置を示す位置情報とを関連付けて管理する位置情報管理手段と、前記通信端末の現在位置を示す位置情報に基づいて、前記通信端末と、前記通信端末が所属する配信エリアと、を関連付けて管理する通信端末管理手段と、配信先として前記配信エリアが指定された配信データを受信した場合、配信先を前記配信エリアに関連付けられた前記通信端末に変更した前記配信データを前記通信端末へ送信する通信手段と、を有する通信装置と、
前記配信エリアと、前記配信エリアに所属する通信端末へ配信データを送信する通信装置とを関連づけて管理する通信装置管理手段と、配信エリアを指定した配信データを、前記配信エリアと関連付けて管理されている通信装置へ送信する通信手段と、を有する配信装置と、を備える通信システム。
【請求項１３】
前記配信装置は、
前記通信装置から、前記通信端末と関連付けて管理されている前記配信エリアを削除したこと示す情報を受信した場合、前記配信エリアと関連付けて管理する情報から前記通信装置を削除する、請求項１２に記載の通信システム。
【請求項１４】
モバイル通信システムにおいて用いられる配信エリアと、前記モバイル通信システムとは異なるアクセスシステムに接続している通信端末の位置を示す位置情報とを関連付けて管理し、
前記通信端末の現在位置を示す位置情報に基づいて、前記通信端末と、前記通信端末が所属する配信エリアと、を関連付けて管理し、
配信先として前記配信エリアが指定された配信データを受信した場合、配信先を前記配信エリアに関連付けられた前記通信端末に変更した前記配信データを前記通信端末へ送信する、送信方法。
【請求項１５】
モバイル通信システムにおいて用いられる配信エリアと、前記モバイル通信システムとは異なるアクセスシステムに接続している通信端末の位置を示す位置情報とを関連付けて管理し、
前記通信端末の現在位置を示す位置情報に基づいて、前記通信端末と、前記通信端末が所属する配信エリアと、を関連付けて管理し、
配信先として前記配信エリアが指定された配信データを受信した場合、配信先を前記配信エリアに関連付けられた前記通信端末に変更した前記配信データを前記通信端末へ送信することをコンピュータに実行させるプログラムが格納された非一時的なコンピュータ可読媒体。
【発明の詳細な説明】
【技術分野】
【０００１】
本開示は通信装置、配信装置、通信システム、送信方法、及びプログラムに関する。
【背景技術】
【０００２】
３ＧＰＰ（3rd Generation Partnership Project）は、無線アクセスネットワークに用いられる通信方式としてＬＴＥ（Long Term Evolution）の仕様を定めている。３ＧＰＰは、移動通信システムの通信規格を策定する。さらに、３ＧＰＰは、コアネットワークに用いられる通信方式として、ＥＰＣ（Evolved Packet Core）の仕様を定めている。【０００３】
また、現在、３ＧＰＰにおいては、次世代通信システムとして、いわゆる５Ｇ（5 Generation）と称される通信システムに関する検討が進められている。５Ｇにおいては、３ＧＰＰにおいて仕様が定められていない通信方式を用いたアクセスネットワーク（以下、Ｎｏｎ−３ＧＰＰアクセスネットワーク）を介して、通信端末が５ＧＣ（5G Core Network）へ接続することが検討されている。【０００４】
さらに、３ＧＰＰは、ＬＴＥ及びＥＰＣを用いた移動通信システムにおいて動作する緊急情報配信システムとして、ＰＷＳ（Public Warning System）の仕様を定めている。【０００５】
例えば、非特許文献１には、ＰＷＳの概要が開示されている。具体的に、ＰＷＳにおいては、ＣＢＣ（Cell Broadcast Centre）が、配信データの配信エリアを指定する。例えば、ＣＢＣは、Cell（セル）、TA（Tracking Area）、もしくはEA（Emergency Area）を配信エリアとして指定する。EAは、通信事業者が、TAとは無関係に独自に設定することができる配信エリアである。さらに、配信エリアに含まれる基地局であるｅＮＢ（evolved Node B）は、非特許文献１の9.1.3.4.2節に記載されているように、ＣＢＣからＭＭＥ（Mobility Management Entity）を介して、Warning Request messageを受ける。その後、ｅＮＢは、複数の通信端末であるＵＥ（User Equipment）へ、配信データをブロードキャストする。言い換えると、ｅＮＢは、Cell Broadcastを用いて、複数のＵＥへ一斉に情報を配信（delivery）する。
【先行技術文献】
【非特許文献】
【０００６】
【非特許文献１】3GPP TS 23.041 V15.0.0 (2017-12)
【発明の概要】
【発明が解決しようとする課題】
【０００７】
現在、通信端末が、Ｎｏｎ−３ＧＰＰアクセスネットワークを介して、５ＧＣへ接続することが検討されている。しかし、Ｎｏｎ−３ＧＰＰアクセスネットワークを含む移動通信システムにおいて、どのようにＰＷＳを実現するかについては明確に規定されていない。そのため、Ｎｏｎ−３ＧＰＰアクセスネットワークを含む移動通信システムにおいて、ＰＷＳを有効に導入することができないという問題がある。【０００８】
本開示の目的は、上述した課題を鑑み、Ｎｏｎ−３ＧＰＰアクセスネットワークを含む移動通信システムにおいて、ＰＷＳの導入を可能とする、通信装置、配信装置、通信システム、送信方法、及びプログラムを提供することにある。
【課題を解決するための手段】
【０００９】
本開示の第１の態様にかかる通信装置は、モバイル通信システムにおいて用いられる配信エリアと、前記モバイル通信システムとは異なるアクセスシステムに接続している通信端末の位置を示す位置情報とを関連付けて管理する位置情報管理部と、前記通信端末の現在位置を示す位置情報に基づいて、前記通信端末と、前記通信端末が所属する配信エリアと、を関連付けて管理する通信端末管理部と、配信先として前記配信エリアが指定された配信データを受信した場合、配信先を前記配信エリアに関連付けられた前記通信端末に変更した前記配信データを前記通信端末へ送信する通信部と、を備える。【００１０】
本開示の第２の態様にかかる配信装置は、モバイル通信システムにおいて用いられる配信エリアと、前記配信エリアに所属する通信端末へ前記通信端末を宛先とする配信データを送信する通信装置とを関連づけて管理する通信装置管理部と、配信エリアを指定した配信データを、前記配信エリアと関連付けて管理されている通信装置へ送信する通信部と、を備え、通信装置管理部は、前記通信装置から、前記通信端末と関連付けて管理されている前記配信エリアに関する情報を受信した場合に、前記配信エリアに関連付けて管理する情報として前記通信装置を追加する。【００１１】
本開示の第３の態様にかかる通信システムは、モバイル通信システムにおいて用いられる配信エリアと、前記モバイル通信システムとは異なるアクセスシステムに接続している通信端末の位置を示す位置情報とを関連付けて管理する位置情報管理部と、前記通信端末の現在位置を示す位置情報に基づいて、前記通信端末と、前記通信端末が所属する配信エリアと、を関連付けて管理する通信端末管理部と、配信先として前記配信エリアが指定された配信データを受信した場合、配信先を前記配信エリアに関連付けられた前記通信端末に変更した前記配信データを前記通信端末へ送信する通信部と、を有する通信装置と、前記配信エリアと、前記配信エリアに所属する通信端末へ配信データを送信する通信装置とを関連づけて管理する通信装置管理部と、配信エリアを指定した配信データを、前記配信エリアと関連付けて管理されている通信装置へ送信する通信部と、を有する配信装置と、を備える。【００１２】
本開示の第４の態様にかかる送信方法は、モバイル通信システムにおいて用いられる配信エリアと、前記モバイル通信システムとは異なるアクセスシステムに接続している通信端末の位置を示す位置情報とを関連付けて管理し、前記通信端末の現在位置を示す位置情報に基づいて、前記通信端末と、前記通信端末が所属する配信エリアと、を関連付けて管理し、配信先として前記配信エリアが指定された配信データを受信した場合、配信先を前記配信エリアに関連付けられた前記通信端末に変更した前記配信データを前記通信端末へ送信する。【００１３】
本開示の第５の態様にかかるプログラムは、モバイル通信システムにおいて用いられる配信エリアと、前記モバイル通信システムとは異なるアクセスシステムに接続している通信端末の位置を示す位置情報とを関連付けて管理し、前記通信端末の現在位置を示す位置情報に基づいて、前記通信端末と、前記通信端末が所属する配信エリアと、を関連付けて管理し、配信先として前記配信エリアが指定された配信データを受信した場合、配信先を前記配信エリアに関連付けられた前記通信端末に変更した前記配信データを前記通信端末へ送信することをコンピュータに実行させる。
【発明の効果】
【００１４】
本開示によって、Ｎｏｎ−３ＧＰＰアクセスネットワークを含む移動通信システムにおいて、ＰＷＳの導入を可能とする、通信装置、配信装置、通信システム、送信方法、及びプログラムを提供することができる。
【図面の簡単な説明】
【００１５】
【図１】実施の形態１にかかる通信装置の構成図である。
【図２】実施の形態２にかかる通信システムの構成図である。
【図３】実施の形態２にかかるＮ３ＩＷＦが管理するデータを説明する図である。
【図４】実施の形態２にかかるＮ３ＩＷＦが管理するデータを説明する図である。
【図５】実施の形態２にかかるデータ配信処理の流れを示す図である。
【図６】実施の形態２にかかるＡＭＦが管理するデータを説明する図である。
【図７】実施の形態３にかかるＡＭＦの構成図である。
【図８】実施の形態３にかかるＵＥの登録処理の流れを示す図である。
【図９】実施の形態３にかかるＡＭＦが管理するデータを更新する処理の流れを示す図である。
【図１０】実施の形態４にかかるＡＭＦの構成図である。
【図１１】それぞれの実施の形態にかかる通信装置及びＡＭＦの構成図である。
【発明を実施するための形態】
【００１６】
以下、図面を参照して本開示の実施の形態について説明する。
【００１７】
Ｎｏｎ−３ＧＰＰアクセスネットワークを含む移動通信システムにおいて、ＰＷＳを導入する際に、Ｎｏｎ−３ＧＰＰアクセスネットワークを介して接続している通信端末に対する配信方法を明確にする必要がある。
【００１８】
具体的には、ＰＷＳは、Cell Broadcastを用いて複数のＵＥへ一斉に情報を配信することを前提とする。ここで、ＣＢＣが指定する配信エリアは、３ＧＰＰにおいて定義されているエリアである。つまり、ＰＷＳは、３ＧＰＰにおいて定義された配信エリアと関連付けられたＵＥに対してのみ、配信データを配信することができる。言い換えると、ＰＷＳは、ＬＴＥ等の３ＧＰＰにおいて定義されている通信方式を用いて、無線アクセスネットワークを介してコアネットワークへ接続しているＵＥに対してのみ、配信データを配信することができる。そのため、Ｎｏｎ−３ＧＰＰアクセスネットワークを介してコアネットワークへ接続している通信端末は、ＰＷＳを利用して配信データを受信することができないという問題がある。実施の形態１−３においては、このような問題を解決するための処理もしくは動作について説明する。
【００１９】
（実施の形態１）
以下、図１を用いて実施の形態１にかかる通信装置１０の構成例について説明する。
【００２０】
通信装置１０は、プロセッサがメモリに格納されたプログラムを実行することによって動作するコンピュータ装置であってもよい。通信装置１０は、例えば、データを中継する中継装置、ゲートウェイ装置等であってもよい。
【００２１】
通信装置１０は、位置情報管理部１１、通信端末管理部１２、及び通信部１３を有している。位置情報管理部１１、通信端末管理部１２、及び通信部１３は、プロセッサがメモリに格納されたプログラムを実行することによって処理が実行されるソフトウェアもしくはモジュールであってもよい。または、位置情報管理部１１、通信端末管理部１２、及び通信部１３は、回路もしくはチップ等のハードウェアであってもよい。
【００２２】
位置情報管理部１１は、モバイル通信システムにおいて用いられる配信エリアと、モバイル通信システムとは異なるアクセスシステムに接続している通信端末の位置を示す位置情報とを関連付けて管理する。「管理する」との用語は、「記憶する」もしくは「保持する」と置き換えられてもよい。以降の記載においても同様に置き換えられてもよい。モバイル通信システムは、３ＧＰＰにおいて仕様が定められた無線アクセスネットワーク及びコアネットワークを含んでもよい。さらに、無線アクセスネットワークは、通信方式としてＬＴＥを用いてもよい。もしくは、無線アクセスネットワークは、３ＧＰＰにおいて５Ｇと称される通信方式を用いてもよい。さらに、コアネットワークは、通信方式としてＥＰＣを用いてもよい。もしくは、コアネットワークは、３ＧＰＰにおいて５ＧＣと称される通信方式を用いてもよい。アクセスネットワークはＡＮ（Access Network）、無線アクセスネットワークはＲＡＮ（Radio Access Network）と称されてもよい。ＬＴＥを用いる無線アクセス通信方式は、Ｅ−ＵＴＲＡ（Evolved Universal Terrestrial Radio Access）、５Ｇを用いる無線アクセス通信方式はＮＲ（New Radio）と称されてもよい。Ｅ−ＵＴＲＡまたはＮＲを用いて５ＧＣに接続するＲＡＮはＮＧ−ＲＡＮ（Next Generation Radio Access Network）と称されてもよい。
【００２３】
モバイル通信システムとは異なるアクセスシステムは、例えば、モバイル通信システムに含められる無線アクセスネットワークと異なるシステムであってもよい。アクセスシステムは、例えば、３ＧＰＰにおいて定められた通信規格とは異なる通信規格を用いる。アクセスシステムは、例えば、無線ＬＡＮ（Local Area Network）システムであってもよい。または、アクセスシステムは、有線ＬＡＮなどの固定通信ネットワークを用いてもよい。
【００２４】
通信端末は、モバイル通信システムとは異なるアクセスシステムに接続することができる。さらに、通信端末は、モバイル通信システムに接続することができてもよい。通信端末がモバイル通信システムもしくはアクセスシステムに接続するとは、通信端末がモバイル通信システムもしくはアクセスシステムと、データの送信もしくは受信を行うことができる状態である。通信端末は、スマートフォン端末、タブレット型端末、もしくは携帯電話端末等であってもよい。また、通信端末は、ＩｏＴ（Internet of Things）端末（ＩｏＴデバイス）、ＭＴＣ（Machine Type Communication）端末であってもよい。
【００２５】
アクセスシステムに接続している通信端末の位置を示す位置情報は、例えば、モバイル通信システムにおいて定められているＣｅｌｌにもとづく位置情報とは異なる位置情報である。位置情報は、例えば、通信端末がＧＰＳ（Global Positioning System）を介して取得することができる情報であってもよい。または、位置情報は、通信端末が無線ＬＡＮ通信を行う際に接続するＡＰ（Access Point）エンティティの位置を示す情報であってもよい。または、位置情報は、通信端末を操作するユーザが、位置情報として通信端末へ入力することができる住所情報等であってもよい。
【００２６】
モバイル通信システムにおいて用いられる配信エリアは、モバイル通信システムを介してデータを配信する際の配信先となるエリアである。配信エリアとして、例えば、Cell、TA、もしくはEAのうち、少なくとも１つが指定されてもよい。また、指定されるCell、TA、EAは、複数のCell、TA、EAから構成されるリストであってよい。
【００２７】
位置情報管理部１１は、モバイル通信システムにおいて用いられる配信エリアと、アクセスシステムを介してコアネットワークへ接続している通信端末の位置を示す位置情報とを予め関連付けて管理する。つまり、位置情報管理部１１は、モバイル通信システムにおいて用いられる配信エリアと、アクセスシステムを介してコアネットワークへ接続している通信端末の位置を示す位置情報とを予め関連付けたデータベースを有してもよい。
【００２８】
通信端末管理部１２は、通信端末の現在位置を示す位置情報に基づいて、通信端末と通信端末が所属する配信エリアと、を関連付けて管理する。
【００２９】
通信端末管理部１２は、例えば、位置情報として、通信端末の現在位置を示す情報を受信する。さらに、通信端末管理部１２は、位置情報管理部１１において管理されている情報を用いて、通信端末の現在位置に関連付けられた配信エリアを特定する。通信端末管理部１２は、特定した配信エリアと、通信端末とを関連付けて管理する。
【００３０】
通信部１３は、配信先として、配信エリアが指定された配信データを受信した場合、配信先を配信エリアに関連付けられた通信端末に変更した配信データを通信端末へ送信する。言い換えると、通信部１３は、その配信エリアでモバイル通信システムから接続している通信端末だけでなく、通信端末管理部１２でその配信エリアに関連付けられていたアクセスシステムから接続している通信端末にも配信データを送信する。なお、通信部１３は、送信部（Transmitter）および受信部（Receiver）と称されてもよい。
【００３１】
配信エリアが指定された配信データは、例えば、配信エリアに在圏する複数の通信端末へ一斉に配信されるデータである。言い換えると、配信エリアが指定された配信データは、ブロードキャストもしくはマルチキャストを用いて一斉に配信される。配信エリアとして、例えば、Cellが指定された場合、指定されたCellに在圏する複数の通信端末へ一斉に配信データが配信される。配信エリアとして、例えば、TAが指定された場合、指定されたTAに在圏する複数の通信端末へ一斉に配信データが配信される。配信エリアとして、例えば、EAが指定された場合、指定されたEAに在圏する複数の通信端末へ一斉に配信データが配信される。
【００３２】
通信部１３が、配信先を配信エリアに関連付けられた通信端末に変更するとは、例えば、配信先を通信端末の識別情報に変更することであってもよい。識別情報は、例えば、ＩＰアドレス、ＭＡＣ（Media Access Control）アドレス等のアドレス情報であってもよい。また、識別情報は、ＳＵＰＩ（Subscription Permanent Identifier）、ＩＭＳＩ（International Mobile Subscriber Identity）、ＮＡＩ（Network Access Identifier）、ＭＳＩＳＤＮ（MS international ISDN number）等の端末ユーザの識別情報であってもよい。もしくは、識別情報は、ＰＥＩ（Permanent Equipment Identifier）、ＩＭＥＩ（International Mobile Equipment Identity）等の端末装置の識別情報であってもよい。配信先として通信端末が設定された配信データは、例えば、ユニキャストを用いて個別に配信（送信）される。
【００３３】
以上説明したように、図１の通信装置１０は、位置情報管理部１１及び通信端末管理部１２を有する。そのため、通信装置１０は、モバイル通信システムにおいて用いられる配信エリアに一斉に配信される配信データの宛先を、モバイル通信システムとは異なるアクセスシステムに接続している通信端末へ変更することができる。その結果、通信装置１０は、モバイル通信システムにおいて用いられる配信エリアに一斉に配信される配信データを、モバイル通信システムとは異なるアクセスシステムに接続している通信端末へ送信することができる。
【００３４】
（実施の形態２）
続いて、図２を用いて実施の形態２にかかる通信システムの構成例について説明する。図２の通信システムは、３ＧＰＰにおいて定められた通信システムの構成を示している。
【００３５】
図２の通信システムは、通信端末としてＵＥ（User Equipment）２０、異なる無線通信方式を用いるUntrusted Non-3GPP Accessネットワーク２１及び3GPP Accessネットワーク２２を有している。さらに、通信システムは、Ｎ３ＩＷＦ（Non 3GPP InterWorking Function）エンティティ２３（以下、Ｎ３ＩＷＦ２３とする）を有している。さらに、通信システムは、５ＧＣを構成する装置として、ＡＭＦ（Access and Mobility Management Function）エンティティ２４、ＳＭＦ（Session Management Function）エンティティ２５、及びＵＰＦ（User Plane Function）エンティティ２６を有している。さらに、通信システムは、Data Network２７、ＣＢＣ（Cell Broadcast Centre）２８、及びＣＢＥ（Cell Broadcast Entity）２９を有している。Untrusted Non-3GPP Accessネットワーク２１は、以下、Untrusted Non-3GPP Access２１とする。3GPP Accessネットワーク２２は、以下、3GPP Accessとする。ＡＭＦエンティティ２４は、以下、ＡＭＦ２４とする。ＳＭＦエンティティ２５は、以下、ＳＭＦ２５とする。ＵＰＦエンティティ２６は、以下、ＵＰＦ２６とする。なお、エンティティは、ノード装置や装置と言い換えてもよい。なお、５ＧＣを用いるコアネットワークでは、ＡＭＦとＣＢＣとの間の通信に対して、ＨＴＴＰ／２を採用したサービスインタフェースを採用することが３ＧＰＰで検討されている。サービスインタフェースを用いる場合、ＣＢＣは、ＣＢＣＦ（Cell Broadcast Centre Function）と言い換えられてもよい。ＣＢＣＦはＡＭＦに対してNcbcfサービスインタフェースを開示し、一方、ＡＭＦはＣＢＣＦに対してNamfサービスインタフェースを開示する。ＣＢＣＦとＡＭＦとの間の通信は、図示されているSBcインタフェースに換えて、NcbcfサービスインタフェースとNamfインタフェースとを用いる。
【００３６】
ＵＥ２０は、３ＧＰＰにおいて通信端末の総称として用いられる。ＵＥ２０は、実施の形態１の通信端末に相当する。図２においては、ＵＥ２０は、Untrusted Non-3GPP Access２１と接続していることを示している。また、ＵＥ２０が、3GPP Access２２とも接続可能であることを示すために、ＵＥ２０と3GPP Access２２とが点線を用いて接続されている。
【００３７】
Untrusted Non-3GPP Access２１は、３ＧＰＰにおいて定められた通信規格とは異なる通信規格を用いる。Untrusted Non-3GPP Access ２１は、実施の形態１におけるアクセスネットワークに相当する。Untrusted Non-3GPP Access２１は、例えば、無線ＬＡＮ（WLAN）システムであってもよい。または、Untrusted Non-3GPP Access２１は、有線ＬＡＮなどの固定通信ネットワークであってもよい。Untrusted Non-3GPP Access２１は、無線ＬＡＮ通信において用いられるＡＰエンティティを含んでもよい。また、Untrusted Non-3GPP Access２１は、ＢＢＦ（Broad Band Forum）が規定するＲＧ（Residential Gateways）、fixed ANs（Access Nodes）などで構成されてもよい。fixed ANsは、例えば、ＯＮＵ（Optical Network Unit）であってもよい。
【００３８】
Untrusted Non-3GPP Access２１は、３ＧＰＰにおいて定められた通信規格とは異なる通信規格を用いるネットワークであるNon-3GPP Networksに含まれる。
【００３９】
3GPP Access２２は、３ＧＰＰにおいて定められた通信規格を用いる。3GPP Access２２は、例えば、ＬＴＥを用いてもよい。この場合、3GPP Access２２は、ＵＥ２０と無線通信を行う基地局であるｅＮＢを含んでもよい。または、3GPP Access２２は、例えば、５Ｇ等と称される通信規格を用いてもよい。この場合、3GPP Access２２は、５Ｇを用いた無線通信を行う基地局を含んでもよい。５Ｇを用いた無線通信を行う基地局は、例えば、ｇＮＢ（g Node B）と称されてもよい。または、通信規格としてＬＴＥまたは５Ｇを用いて５ＧＣに接続する無線アクセスネットワークは、ＮＧ−ＲＡＮ（Next Generation Radio Access Network）と称されてもよい。3GPP Access２２は、実施の形態１のモバイル通信システムに含まれる無線アクセスネットワークに相当する。
【００４０】
ここで、図２においては、3GPP Access２２、Ｎ３ＩＷＦ２３、ＡＭＦ２４、ＳＭＦ２５、ＵＰＦ２６、ＣＢＣ２８、及びＣＢＥ２９が、実施の形態１のモバイル通信システムを構成する。3GPP Access２２、Ｎ３ＩＷＦ２３、ＡＭＦ２４、ＳＭＦ２５、ＵＰＦ２６、ＣＢＣ２８、及びＣＢＥ２９は、ＨＰＬＭＮ（Home Public Land Mobile Network）に配置されたノード装置もしくはエンティティである。さらに、Ｎ３ＩＷＦ２３、ＡＭＦ２４、ＳＭＦ２５、ＵＰＦ２６、ＣＢＣ２８、及びＣＢＥ２９は、実施の形態１のモバイル通信システムに含まれるコアネットワーク、例えば、５ＧＣを構成するノード装置もしくはエンティティである。
【００４１】
Data Network２７は、モバイル通信ネットワークを管理している通信事業者とは異なる事業者が管理するネットワークであってもよい。Data Network２７は、例えば、外部ネットワークと称されてもよい。なお、例えばＶｏＬＴＥ（Voice over LTE）音声サービスを提供するために必要な呼制御装置を外部ネットワークに配備するため、モバイル通信ネットワークを管理している通信事業者自身が外部ネットワークを管理することもありえる。
【００４２】
ＵＰＦ２６は、3GPP Access 22と、Data Network２７との間に配置されている。ＵＰＦ２６は、3GPP Access 22とData Network２７との間においてＵＥ２０に関するユーザデータもしくはＵ（User）−Ｐｌａｎｅデータのルーティングもしくは転送を行う。また、ＵＰＦ２６は、後に説明するＮ３ＩＷＦ２３と、Data Network２７との間においてＵＥ２０に関するユーザデータもしくはＵ−Ｐｌａｎｅデータのルーティングもしくは転送も行う。なお、ユーザデータもしくはＵ−Ｐｌａｎｅデータを、以下、ユーザデータと略称する。
【００４３】
ＡＭＦ２４は、ＵＥ２０に関するアクセスやモビリティなどの管理を行う。さらに、ＡＭＦ２４は、認証装置（不図示）と連携してＵＥ２０に関する認証処理を行う。ＳＭＦ２５は、ＵＥ２０に関するセッション管理を行う。例えば、ＳＭＦ２５は、ＵＥ２０とData Network２７との間においてユーザデータを伝送する際に確立されるセッションを管理する。なお、セッション管理には、セッションの確立、変更、削除が含まれる。
【００４４】
Ｎ３ＩＷＦ２３は、Untrusted Non-3GPP Access２１を介してＵＥ２０と通信する。Ｎ３ＩＷＦ２３は、異なるネットワーク間を相互に接続し、ＵＥ２０とＡＭＦ２４との間において伝送されるＵＥ２０に関する制御データもしくはＣ（Control）−Ｐｌａｎｅデータを中継する。さらに、Ｎ３ＩＷＦ２３は、ＵＥ２０とＵＰＦ２６との間において伝送されるＵＥ２０に関するユーザデータを中継する。なお、Ｎ３ＩＷＦ２３は、ユーザデータの一部をＵＥ２０とＡＭＦ２４との間で中継する場合もある。Ｎ３ＩＷＦ２３は、実施の形態１の通信装置１０に相当する。
【００４５】
Ｎ３ＩＷＦ２３とＵＥ２０との間において伝送されるデータは、ＩＰｓｅｃを用いて暗号化される。つまり、Ｎ３ＩＷＦ２３とＵＥ２０とは、ＩＰｓｅｃ ＳＡ（Security Association）を確立する。
【００４６】
ＣＢＣ２８は、ＣＢＥ２９から指示された配信エリアへ、ＣＢＥ２９において生成された緊急情報の配信を行う。ＣＢＣ２８は、例えば、ＡＭＦ２４及び3GPP Access２２を介して、配信エリアに在圏するＵＥへ、緊急情報を配信する。言い換えると、ＣＢＣ２８は、ＡＭＦ２４を介して、3GPP Access２２に接続しているＵＥ２０へ緊急情報を配信する。さらに、ＣＢＣ２８は、ＡＭＦ２４、及びＮ３ＩＷＦ２３を介して、Untrusted Non-3GPP Access２１に接続しているＵＥ２０へ緊急情報を配信する。ＣＢＥ２９は、例えば、地震もしくは津波等を監視する行政庁が管理するサーバ装置等であってもよい。なお、ＣＢＣ２８とＣＢＥ２９は、一体装置として構成されていてもよい。
【００４７】
図２は、ノード装置間において定義されているリファレンスポイントを示している。ＵＥ２０と、ＡＭＦ２４との間にはN1が定義されている。また、ＵＥ２０とＡＭＦ２４との間にもN1が定義されている。3GPP Access２２とＡＭＦ２４との間にはN2が定義されている。また、Ｎ３ＩＷＦ２３とＡＭＦ２４との間にもN2が定義されている。3GPP Access２２とＵＰＦ２６との間には、N3が定義されている。また、Ｎ３ＩＷＦ２３とＵＰＦ２６との間にもN3が定義されている。ＳＭＦ２５とＵＰＦ２６との間にはN4が定義されている。ＵＰＦ２６とData Network２７との間にはN6が定義されている。ＡＭＦ２４とＳＭＦ２５との間にはN11が定義されている。ＵＥ２０とＮ３ＩＷＦ２３との間にはNWuが定義されている。ＵＥ２０とUntrusted Non-3GPP Access２１との間にはY1が定義されている。Untrusted Non-3GPP Access２１とＮ３ＩＷＦ２３との間にはY2が定義されている。ＡＭＦ２４とＣＢＣ２８との間にはSBcが定義されている。
【００４８】
続いて、図３を用いてＮ３ＩＷＦ２３が管理するデータについて説明する。Ｎ３ＩＷＦ２３は、実施の形態１の通信装置１０に相当する。そのため、Ｎ３ＩＷＦ２３も、位置情報管理部１１、通信端末管理部１２、及び通信部１３を有することを前提としてＮ３ＩＷＦ２３が管理するデータについて説明する。
【００４９】
図３は、位置情報管理部１１において管理されているデータを示している。図３は、TA、EA、Cell、及びlocationが関連付けられて管理されていることが示されている。TA、EA、及びCellは、モバイル通信システムにおいて用いられる配信エリアを示している。つまり、ＣＢＣ２８もしくはＣＢＥ２９は、配信エリアとして、TA、EA、もしくはCellを指定する。locationは、Untrusted Non-3GPP Access２１に接続しているＵＥ２０の位置を示す位置情報である。locationは、ＵＥ２０が取得可能な位置情報であってもよい。もしくは、locationは、ＵＥ２０の現在位置の近傍に存在する他の通信装置等の位置情報であってもよい。例えば、位置情報は、通信端末が無線ＬＡＮ通信を行う際に接続するＡＰ（Access Point）エンティティの位置を示す情報であってもよい。また、例えば、位置情報は、通信端末が固定アクセス回線を介した通信を行う際に接続するＲＧ（Residential Gateways）やＯＮＵ（Optical Network Unit）の位置を示す情報であってもよい。TA、EA、Cell、及びlocationに付されている符号は、TA、EA、Cell、及びlocationを識別するために用いられる。
【００５０】
図３は、Cell-1と、location-1及びlocation-2とが対応付けられていることを示している。さらに、Cell-2と、locatin-3とが対応付けられており、Cell-4とlocation-4とが対応付けられている。さらに、EA-1と、Cell-1、Cell-2、及びCell-3とが対応付けられている。さらに、EA-1と、Cell-4とが対応付けられており、EA-2と、Cell-5及びCell-6とが対応付けられている。さらに、TA-1とEA-1とが対応付けられており、TA-2と、EA-1及びEA-2とが対応付けられている。EA-1は、TA-1及びTA-2と対応付けられている。つまり、EA-1は、TA-1を含み、さらに、TA-2の一部のエリアと重複している。
【００５１】
また、位置情報管理部１１は、例えば、ＵＥ２０が無線ＬＡＮ通信を行う際に接続するＡＰエンティティの位置情報とlocationとを関連付けて管理してもよい。具体的には、ＡＰ−１が、location-4に配置されている場合、図３に示すように、ＡＰ−１とlocation-4とが関連付けて管理されてもよい。
【００５２】
例えば、Ｎ３ＩＷＦ２３の管理者等は、予め図３に示す情報を位置情報管理部１１へ入力しておいてもよい。もしくは、位置情報管理部１１は、他のサーバ装置等から、図３に示す情報を予め取得しておいてもよい。
【００５３】
続いて、図４を用いてＮ３ＩＷＦ２３が管理するデータについて説明する。図４は、通信端末管理部１２において管理されているデータを示している。図４は、位置情報管理部１１において管理されているデータに、さらに、ＵＥが関連づけられていることを示している。つまり、図４は、ＵＥが、配信エリア情報と関連づけられていることを示している。ＵＥに付されている符号は、ＵＥを識別するために用いられる。例えば、ＵＥを識別する情報は、ＵＥのホスト名、ＩＰアドレスもしくはＭＡＣアドレスであってもよい。また、例えば、ＵＥを識別する情報は、ＳＵＰＩ（Subscription Permanent Identifier）、ＩＭＳＩ（International Mobile Subscriber Identity）、ＮＡＩ（Network Access Identifier）、ＭＳＩＳＤＮ（MS international ISDN number）等の端末ユーザの識別情報であってもよい。もしくは、ＵＥを識別する情報は、ＰＥＩ（Permanent Equipment Identifier）、ＩＭＥＩ（International Mobile Equipment Identity）等の端末装置の識別情報であってもよい。
【００５４】
ＵＥ２０は、例えば、Untrusted Non-3GPP Access２１と接続する際に、locationにて示されるＵＥ２０の位置情報をＮ３ＩＷＦ２３へ送信する。具体的には、ＵＥ２０は、locationにて示される位置情報を含む接続要求メッセージをＮ３ＩＷＦ２３へ送信する。通信端末管理部１２は、ＵＥ２０から通信部１３を介して受信したlocationと、ＵＥ２０とを関連付けて管理する。通信端末管理部１２は、例えば、location-1とUE-1とを関連付けて管理する。さらに、通信端末管理部１２は、location-2とUE-2とを関連付けて管理し、location-3とUE-3とを関連付けて管理する。通信端末管理部１２は、接続要求メッセージに含まれるlocationが、位置情報管理部１１において管理されていない場合、ＵＥ２０の接続を拒否してもよい。
【００５５】
また、ＵＥ２０は、無線ＬＡＮ通信を行う場合、Untrusted Non-3GPP Access２１に含まれるＡＰエンティティと接続する。この場合、ＵＥ２０は、ＡＰエンティティを識別する情報をＮ３ＩＷＦ２３へ送信してもよい。例えば、UE-4が、ＡＰ−１と接続した場合に、ＡＰ−１を識別する情報をＮ３ＩＷＦ２３へ送信する。この場合、位置情報管理部１１は、UE-4とlocation-4とを関連付けて管理する。また、UE-5も、UE-4と同様にＡＰ−１と接続した場合、ＡＰ−１を識別する情報をＮ３ＩＷＦ２３へ送信する。この場合、位置情報管理部１１は、UE-5とlocation-4とを関連付けて管理する。つまり、位置情報管理部１１は、同じlocationに、複数のＵＥを関連付けて管理してもよい。
【００５６】
もしくは、ＵＥ２０がＡＰエンティティを介してＮ３ＩＷＦ２３と通信を行っている場合、Ｎ３ＩＷＦ２３は、ＡＰエンティティから、ＡＰエンティティの位置情報を受信してもよい。もしくは、Ｎ３ＩＷＦ２３は、予め、ＡＰエンティティの位置情報を管理していてもよい。つまり、Ｎ３ＩＷＦ２３は、ＵＥ２０またはＡＰエンティティからＡＰエンティティの位置情報を取得しなくてもよい。
【００５７】
続いて、図５を用いて実施の形態２にかかるデータ配信処理の流れについて説明する。はじめに、ＵＥ２０、ＡＭＦ２４、及びＮ３ＩＷＦ２３は、ＵＥ２０の登録処理（Registration procedures）を行う（Ｓ１０）。ステップＳ１０の登録処理において、Ｎ３ＩＷＦ２３の通信端末管理部１２は、ＵＥ２０と配信エリアとを関連付けて管理する。さらに、ステップＳ１０の登録処理において、ＵＥ２０は、Ｎ３ＩＷＦ２３との間のＩＰｓｅｃ ＳＡを確立する。さらに、ステップＳ１０の登録処理において、ＡＭＦ２４は、ＵＥ２０の接続を許可するか否かに関する認証処理を行う。
【００５８】
次に、ＣＢＥ２９は、緊急情報の配信を指示するEmergency Broadcast RequestメッセージをＣＢＣ２８へ送信する（Ｓ１１）。次に、ＣＢＣ２８は、ＡＭＦ２４へ緊急情報の配信を指示するWrite-Replace Warning Requestメッセージを送信する（Ｓ１２）。Write-Replace Warning Requestメッセージは、TAI（Tracking Area Identity） listを含む。TAI listは、少なくとも１つのTAを含む。さらに、Write-Replace Warning Requestメッセージは、Warning Areaを含む。Warning Areaは、配信エリアに相当する。Warning Areaは、Cell ID、TAI、及びEA IDのうち少なくとも１つを含む。Cell IDは、Cellを識別する情報である。TAIは、TAを識別する情報である。EA IDは、EAを識別する情報である。
【００５９】
次に、ＡＭＦ２４は、Write-Replace Warning Requestメッセージに対する応答メッセージとして、Write-Replace Warning ConfirmメッセージをＣＢＣ２８へ送信する（Ｓ１３）。次に、ＣＢＣ２８は、Emergency Broadcast Requestメッセージに対する応答メッセージとして、Emergency Broadcast ResponseメッセージをＣＢＥ２９へ送信する（Ｓ１４）。
【００６０】
ここで、図６を用いてＡＭＦ２４が管理するデータについて説明する。ＡＭＦ２４は、TAI listと、TAと、N3IWFとを関連付けて管理する。図６は、TAI list-1に、TA-1及びTA-2が含まれていることを示している。さらに、図６は、TAI list-2に、TA-3、TA-4、TA-5、及びTA-6が含まれていることを示している。また、図６は、TAI list-1と、N3IWF-1、N3IWF-2、及びN3IWF-3とが関連付けられていることを示している。さらに、図６は、TAI list-2と、N3IWF-3及びN3IWF-4とが関連づけられていることを示している。
【００６１】
図５に戻り、ＡＭＦ２４は、Write-Replace Warning Requestメッセージの送信先もしくは転送先であるＮ３ＩＷＦを決定する。ＡＭＦ２４は、図６に示す情報と、ＣＢＣ２８から受信したWrite-Replace Warning Requestメッセージに含まれるTAI listとに基づいて、Ｎ３ＩＷＦを決定する。ここでは、ＡＭＦ２４は、Write-Replace Warning Requestメッセージの送信先として、Ｎ３ＩＷＦ２３を選択したとする。また、ＡＭＦ２４は、Write-Replace Warning Requestメッセージの送信先として、複数のＮ３ＩＷＦを選択してもよい。
【００６２】
ＡＭＦ２４は、Ｎ３ＩＷＦ２３へ、Write-Replace Warning Requestメッセージを転送する（Ｓ１５）。Ｎ３ＩＷＦ２３は、Write-Replace Warning Requestメッセージに含まれるWarning Areaに関連付けられたＵＥを特定する。Ｎ３ＩＷＦ２３は、通信端末管理部１２において管理されているデータを用いて、Warning Areaに関連付けられたＵＥを特定する。例えば、Warning AreaとしてTA-1が示されている場合、UE-1、UE-2、及びUE-3が特定される。また、Warning AreaとしてCell-1が示されている場合、UE-1及びUE-2が特定される。
【００６３】
Ｎ３ＩＷＦ２３は、Write-Replace Warning Requestメッセージに含まれる緊急情報を、特定したＵＥ２０へ送信する（Ｓ１６）。Ｎ３ＩＷＦ２３は、Write-Replace Warning Requestメッセージに含まれる緊急情報の配信先を、Warning AreaからＵＥ２０へ変更する。Ｎ３ＩＷＦ２３とそれぞれのＵＥとの間には、ＩＰｓｅｃ ＳＡが確立されている。そのため、Ｎ３ＩＷＦ２３は、Unicast通信を用いて、緊急情報をそれぞれのＵＥへ送信する。
【００６４】
Ｎ３ＩＷＦ２３は、それぞれのＵＥへ、Unicast通信を用いた緊急情報の送信が完了すると、ＡＭＦ２４へ、Write-Replace Warning Responseメッセージを送信する（Ｓ１７）。次に、ＡＭＦ２４は、ＣＢＣ２８へ、Write-Replace Warning Indicationメッセージを送信する（Ｓ１８）。また、ＡＭＦ２４は、Write-Replace Warning Responseメッセージに含まれるパラメータに基づいて、それぞれのＵＥに対する緊急情報の送信が成功したか失敗したかを判定する（Ｓ１９）。さらに、ＡＭＦ２４は、判定結果を保持する（Ｓ１９）。
【００６５】
以上説明したように、Ｎ３ＩＷＦ２３は、Untrusted Non-3GPP Access２１を介して接続しているＵＥ２０と、配信先を示すWarning Areaとを関連付けて管理することができる。これにより、Ｎ３ＩＷＦ２３は、Warning Areaが指定されたWrite-Replace Warning Requestメッセージを受信した場合に、Warning Areaと関連付けられたＵＥ２０へ、緊急情報を配信することができる。その結果、Ｎ３ＩＷＦ２３は、Ｎｏｎ−３ＧＰＰアクセスネットワークを介してコアネットワークへ接続しているＵＥ２０へ、ＰＷＳを利用して配信データを配信することができる。
【００６６】
（実施の形態３）
続いて、実施の形態３について説明する。実施の形態２においては、図６に示されるように、ＡＭＦ２４が、TAI list、TA、及びN3IWFを予め関連付けて管理する例について説明した。一方、ＵＥ２０がコアネットワークへの登録を要求する際に、接続先のN3IWFを自由に選択する場合がある。このような場合、ＡＭＦ２４は、ＵＥ２０がどのN3IWFを選択するかを事前に把握することができない。そのため、ＡＭＦ２４は、ＵＥ２０の位置を示すTAと、N3IWFとを予め関連付けて管理することができない。
【００６７】
実施の形態３においては、ＵＥ２０が接続先のN3IWFを自由に選択することができる状況における、ＡＭＦ２４のN3IWF選択処理について主に説明する。
【００６８】
また、実施の形態２においては、Ｎ３ＩＷＦ２３の位置情報管理部１１は、自装置が管理するTA、EA、及びCellと、ＵＥの位置を示すlocationとを関連付けて管理している。一方、実施の形態３においては、Ｎ３ＩＷＦ２３の位置情報管理部１１は、図２の通信システムにおいて定義されている全てのTAと、locationとを関連付けて管理する。
【００６９】
ここで、図７を用いて、実施の形態３にかかるＡＭＦ２４の構成例について説明する。ＡＭＦ２４は配信装置と称されてもよい。また、ＡＭＦ２４は、配信データを配信する配信元と称されてもよい。ＡＭＦ２４は、通信装置管理部３１及び通信部３２を有している。通信装置管理部３１及び通信部３２は、プロセッサがメモリに格納されたプログラムを実行することによって処理が実行されるソフトウェアもしくはモジュールであってもよい。または、通信装置管理部３１及び通信部３２は、回路もしくはチップ等のハードウェアであってもよい。
【００７０】
通信部３２は、Ｎ３ＩＷＦ２３から、Ｎ３ＩＷＦ２３が管理するＵＥ２０のlocationに関する情報を受信する。具体的には、Ｎ３ＩＷＦ２３は、ＵＥ２０から登録処理もしくは接続処理が要求された場合に、ＵＥ２０のlocationに関連付けられているTAを特定する。さらに、Ｎ３ＩＷＦ２３は、特定したTAをＡＭＦ２４へ送信する。
【００７１】
通信装置管理部３１は、Ｎ３ＩＷＦ２３から通信部３２を介して受信されたTAと、Ｎ３ＩＷＦ２３とを関連付けて管理する。さらに、通信装置管理部３１は、Ｎ３ＩＷＦ２３とＵＥ２０との接続が切断もしくは解消された場合に、Ｎ３ＩＷＦ２３から送信されたTAと、Ｎ３ＩＷＦ２３とを関連付けを解消してもよい。
【００７２】
続いて、図８を用いて、ＵＥの登録処理（Registration procedure）の流れについて説明する。はじめに、ＵＥ２０は、接続先として選択したＮ３ＩＷＦ２３へ、接続要求メッセージを送信する（Ｓ２１）。接続要求メッセージには、ＵＥ２０の現在位置を示すlocationが含まれている。
【００７３】
次に、Ｎ３ＩＷＦ２３は、接続要求メッセージに含まれているlocationと、当該locationに関連付けられているTAを特定する（Ｓ２２）。次に、Ｎ３ＩＷＦ２３は、特定したTAを含むTA追加要求メッセージをＡＭＦ２４へ送信する（Ｓ２３）。
【００７４】
次に、ＡＭＦ２４は、TA追加要求メッセージに含まれるTAと、TA追加要求メッセージの送信元であるＮ３ＩＷＦ２３とを関連付けて管理する（Ｓ２４）。具体的には、ＡＭＦ２４は、Ｎ３ＩＷＦ２３を、図６に示されるTAに関連付けられるN3IWFとして追加する。ＡＭＦ２４は、図６におけるN3IWFの項目にＮ３ＩＷＦ２３を追加することによって、Ｎ３ＩＷＦ２３が、TA追加要求メッセージに含まれるTAに位置するＵＥと接続していると認識することができる。また、一つのTAに、複数のＵＥが関連付けられていることがある。このような場合、Ｎ３ＩＷＦ２３は、ＵＥ２０とのコネクションが確立されたことを検出した場合に、ＵＥ２０と関連付けて管理していたTAが、ＵＥ２０以外の他のＵＥと関連付けられているかを確認してもよい。Ｎ３ＩＷＦ２３は、ＵＥ２０と関連付けて管理していたTAが、ＵＥ２０以外の他のＵＥと関連付けられている場合に、TA追加要求メッセージをＡＭＦ２４へ送信することを省略してもよい。
【００７５】
ＡＭＦ２４が、TAとN3IWFとを関連付けて管理することによって、次のような効果を得ることができる。ＡＭＦ２４は、TAI listを含むWrite-Replace Warning Requestメッセージを受信した場合に、TAI list及びTAに関連付けられているN3IWFを特定することができる。その結果、ＡＭＦ２４は、Write-Replace Warning Requestメッセージに含まれるTAI listにおいて指定されるTAに関連付けられているＮ３ＩＷＦ２３へ、緊急情報を配信することができる。
【００７６】
続いて、図９を用いて、ＡＭＦ２４が管理するデータを更新する処理の流れについて説明する。図９は、ＵＥ２０がＮ３ＩＷＦ２３とのコネクションを切断した場合の処理を示している。例えば、ＵＥ２０は、意図的にＮ３ＩＷＦ２３とコネクションを切断する。もしくは、ＵＥ２０が、現在のTAとは異なるTAに移動した場合もしくはＵＥ２０が現在接続しているＡＰエンティティとのコネクションを切断した場合に、Ｎ３ＩＷＦ２３とＵＥ２０との間のコネクションが切断される。
【００７７】
はじめに、Ｎ３ＩＷＦ２３は、ＵＥ２０とのコネクションが切断されたことを検出する（Ｓ３１）。次に、Ｎ３ＩＷＦ２３は、ＵＥ２０と関連付けて管理していたTAを含むTA削除要求メッセージをＡＭＦ２４へ送信する（Ｓ３２）。ＵＥ２０とのコネクションが切断されると、ＵＥ２０と関連付けて管理していたTAに位置するＵＥが存在しなくなる。そのため、Ｎ３ＩＷＦ２３は、宛先として、ＵＥ２０と関連付けて管理していたTAを含むWrite-Replace Warning Requestメッセージが自装置へ送信されないように、TA削除要求メッセージをＡＭＦ２４へ送信する。また、一つのTAに、複数のＵＥが関連付けられていることがある。このような場合、Ｎ３ＩＷＦ２３は、ＵＥ２０とのコネクションが切断されたことを検出した場合に、ＵＥ２０と関連付けて管理していたTAが、ＵＥ２０以外の他のＵＥと関連付けられているかを確認してもよい。Ｎ３ＩＷＦ２３は、ＵＥ２０と関連付けて管理していたTAが、ＵＥ２０以外の他のＵＥと関連付けられていない場合に、TA削除要求メッセージをＡＭＦ２４へ送信してもよい。
【００７８】
次に、ＡＭＦ２４は、TA削除要求メッセージを受信すると、TA削除要求メッセージに含まれるTAと、Ｎ３ＩＷＦ２３との関連付けを解消する（Ｓ３３）。ＡＭＦ２４は、TA削除要求メッセージに含まれるTAと、Ｎ３ＩＷＦ２３との関連付けを解消することによって、TA削除要求メッセージに含まれるTAを宛先に含むメッセージをＮ３ＩＷＦ２３へ送信することを回避することができる。
【００７９】
以上説明したように、実施の形態３にかかるＡＭＦ２４は、Ｎ３ＩＷＦ２３とTAとの関連づけを動的に管理することができる。ＡＭＦ２４が、Ｎ３ＩＷＦ２３とTAとの関連づけを動的に管理することができない場合、ＡＭＦ２４は、どのＮ３ＩＷＦ２３とどのTAが関連付けられているかを認識することができない。この場合、ＡＭＦ２４は、Write-Replace Warning Requestメッセージを全てのＮ３ＩＷＦ２３へ送信する必要がある。
【００８０】
これに対して、実施の形態３にかかるＡＭＦ２４は、Write-Replace Warning Requestメッセージに含まれるTAと関連付けられているＮ３ＩＷＦ２３を特定することができる。そのため、ＡＭＦ２４は、Write-Replace Warning Requestメッセージを緊急情報の配信を必要とするＮ３ＩＷＦ２３に対して送信することができ、全てのＮ３ＩＷＦ２３へ送信する必要が無い。その結果、実施の形態３においては、ＡＭＦ２４が全てのＮ３ＩＷＦ２３へWrite-Replace Warning Requestメッセージを送信する場合と比較して、通信システム内において伝送されるメッセージ数を減少させることができる。また、緊急情報の配信を必要としないＮ３ＩＷＦ２３が不要なWrite-Replace Warning Requestメッセージを受信することを防止できる。
【００８１】
（実施の形態４）
続いて、実施の形態４の内容について説明する。図５において説明したように、ＡＭＦ２４は、緊急情報を配信する際に、ＣＢＣ２８から、Write-Replace Warning Requestメッセージを受信する。この時、Write-Replace Warning Requestメッセージが、TAI listを含まない場合がある。このような場合、ＡＭＦ２４は、TAI list内のTAに含まれる、もしくは、TAI list内のTAに関連付けられる3GPP Access２２及びＮ３ＩＷＦ２３等を特定することができない。そのため、ＡＭＦ２４は、Write-Replace Warning Requestメッセージを、N2が定義されているリファレンスポイントもしくはインタフェースを介して接続している全てのノード装置もしくはエンティティ等へ送信する。
【００８２】
ここで、図２に示されるように、3GPP Access２２とＡＭＦ２４との間、さらに、Ｎ３ＩＷＦ２３とＡＭＦ２４との間、のリファレンスポイントとしてN2が定義されている。これにより、ＡＭＦ２４は、TAI listを含まないWrite-Replace Warning Requestメッセージを受信した場合、当該メッセージを、3GPP Access２２だけではなく、Ｎ３ＩＷＦ２３へも送信する。
【００８３】
一方、Write-Replace Warning Requestメッセージを受信したＮ３ＩＷＦ２３は、Cell Broadcastを用いて複数のＵＥへ一斉に情報を配信することができない。そのため、Ｎ３ＩＷＦ２３は、受信したWrite-Replace Warning Requestメッセージを破棄する。
【００８４】
このように、ＡＭＦ２４が、TAI listを含まないWrite-Replace Warning Requestメッセージを受信した場合、次のような問題が発生する。第１に、Ｎ３ＩＷＦ２３は、受信したWrite-Replace Warning Requestメッセージを破棄する必要があり、無駄な処理が発生するという問題がある。第２に、ＡＭＦ２４は、結果的に破棄されることになるWrite-Replace Warning RequestメッセージをＮ３ＩＷＦ２３へ送信する必要があり、無駄な処理が発生するという問題がある。また、不要な通信により、伝送リソースを無駄に使用するという問題もある。実施の形態４においては、上述した三つの問題の内、少なくとも一つを解決するための処理もしくは動作について説明する。
【００８５】
はじめに、図１０を用いて、実施の形態４にかかるＡＭＦ４０の構成例について説明する。ＡＭＦ４０は、装置種別管理部４１及び通信部４２を有している。装置種別管理部４１及び通信部４２は、プロセッサがメモリに格納されたプログラムを実行することによって処理が実行されるソフトウェアもしくはモジュールであってもよい。または、装置種別管理部４１及び通信部４２は、回路もしくはチップ等のハードウェアであってもよい。
【００８６】
装置種別管理部４１は、N2が定義されているリファレンスポイントを介して接続しているノード装置もしくはエンティティのホスト名と、装置種別とを関連付けて管理する。装置種別は、3GPP Accessネットワークのノード装置かNon-3GPP Accessネットワークのノード装置かを識別する情報であってもよく、例えば、ｇＮＢか、Ｎ３ＩＷＦかを示す情報であってもよい。なお、装置種別に替えて、装置がサポートするアクセス通信方式を示す情報が用いられてもよい。
【００８７】
ＵＥ２０は、ｇＮＢ（3GPP Access）もしくはＮ３ＩＷＦ２３（Non-3GPP Access）を介して、ＡＭＦ４０と通信し、登録処理（Registration procedure）を実行する。ＡＭＦ４０は、ＵＥ２０の登録処理において、ｇＮＢ（3GPP Access）もしくはＮ３ＩＷＦ２３との間のN2が定義されているリファレンスポイントを介した接続（以下、N2接続とする）を確立する。ＡＭＦ４０は、N2接続を確立する前、N2接続を確立する途中、もしくはN2接続を確立した後に、N2が定義されているリファレンスポイントを介して接続されている装置もしくはエンティティの装置種別を取得する。装置種別管理部４１は、取得した装置種別と、N2接続の接続先である装置もしくはエンティティのホスト名とを関連付けて管理する。
【００８８】
もしくは、ＡＭＦ４０は、ホスト名と装置種別とを関連付けた情報を予め格納していてもよい。例えば、ＡＭＦ４０を管理する管理者等が、ホスト名と装置種別とを関連付けた情報をＡＭＦ４０へ入力してもよい。もしくは、ＡＭＦ４０は、ホスト名と装置種別とが関連付けられた情報を管理している管理装置やサーバ装置等から、ホスト名と装置種別を関連付けた情報を取得してもよい。
【００８９】
通信部４２は、TAI listを含まないWrite-Replace Warning Requestメッセージを受信した場合、当該メッセージを、装置種別がｇＮＢであるホスト名の装置へ送信する。言い換えると、通信部４２は、装置種別がＮ３ＩＷＦであるホスト名の装置へは、Write-Replace Warning Requestメッセージを送信しない。さらに言い換えると、通信部４２は、TAI listを含まないWrite-Replace Warning Requestメッセージを受信した場合、当該メッセージの送信先から、装置種別がＮ３ＩＷＦであるホスト名の装置を除外する。
【００９０】
以上説明したように、実施の形態４にかかるＡＭＦ４０は、TAI listを含まないWrite-Replace Warning Requestメッセージを受信した場合、Ｎ３ＩＷＦ２３へ、余計なメッセージの送信を抑制することができる。つまり、ＡＭＦ４０は、Ｎ３ＩＷＦ２３において破棄されるWrite-Replace Warning Requestメッセージを、Ｎ３ＩＷＦ２３へ送信することを防止することができる。これにより、ＡＭＦ４０におけるWrite-Replace Warning Requestメッセージの送信処理に係る負荷が低減される。さらに、Ｎ３ＩＷＦ２３における、Write-Replace Warning Requestメッセージの受信処理及び破棄処理に係る負荷が低減される。また、不要なメッセージの通信を無くし、伝送リソースを無駄に使用することを防止することができる。
【００９１】
図１１は、上述の実施形態において説明した通信装置１０、ＡＭＦ２４、及びＡＭＦ４０（以下、通信装置１０等と称する）の構成例を示すブロック図である。図１１を参照すると、通信装置１０等は、ネットワーク・インターフェース１２０１、プロセッサ１２０２、及びメモリ１２０３を含む。ネットワーク・インターフェース１２０１は、通信システムを構成する他のネットワークノード装置と通信するために使用される。ネットワーク・インターフェース１２０１は、例えば、IEEE 802.3 seriesに準拠したネットワークインターフェースカード（NIC）を含んでもよい。
【００９２】
プロセッサ１２０２は、メモリ１２０３からソフトウェア（コンピュータプログラム）を読み出して実行することで、上述の実施形態においてシーケンス図及びフローチャートを用いて説明された通信装置１０等の処理を行う。プロセッサ１２０２は、例えば、マイクロプロセッサ、MPU（Micro Processing Unit）、又はCPU（Central Processing Unit）であってもよい。プロセッサ１２０２は、複数のプロセッサを含んでもよい。
【００９３】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【００９４】
図１１の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明された通信装置１０等の処理を行うことができる。
【００９５】
図１１を用いて説明したように、通信装置１０等が有するプロセッサの各々は、図面を用いて説明されたアルゴリズムをコンピュータに行わせるための命令群を含む１又は複数のプログラムを実行する。
【００９６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
なお、本開示は、ＰＷＳの配信データを配信する用途に限定するものではない。例えば、モバイル通信システムの配信エリアは、モバイル通信システムの位置情報の集合である。そのため、配信エリアの粒度をモバイル通信システムの位置情報と同じ粒度まで詳細化した場合、本開示の特徴は、次のように言い換えることができる。例えば、本開示の特徴は、モバイル通信システムとは異なるアクセスシステムに接続している通信端末の位置情報と、モバイル通信システムの位置情報とを関連付ける特徴を有している、と言い換えることができる。従って、本開示は、ＰＷＳの配信データを配信する用途に限定せず、例えば、通信事業者が、モバイル通信システムとは異なるアクセスシステムに接続している端末の位置情報を、モバイル通信システムの位置情報として取得する用途に適用できる。
【００９８】
また、本開示は、モバイル通信システムで使用される配信エリアへの配信に用途を限定するものではない。例えば、将来、配信エリアが、モバイル通信システムだけでなく、モバイル通信システムとは異なるアクセスシステムにも設定されると仮定した場合、アクセスシステムに固有なCell、TA、もしくはEAを定義することが考えられる。例えば、アクセスシステムに固有なCell、TA、もしくはEAは、モバイル通信システムのCell、TA、もしくはEAとは重複しない値を持つCell、TA、もしくはEAである。その場合、本開示は、モバイル通信システムとは異なるアクセスシステムに接続している通信端末の位置情報と、アクセスシステムに固有な配信エリアとを関連付ける特徴を有している、と言い換えることができる。
従って、本開示は、モバイル通信システムで使用される配信エリアへの配信に用途を限定せず、例えば、アクセスシステムで使用される配信エリアへの配信に適用できる。
【００９９】
また、本開示は上記実施の形態に限られたものではなく、趣旨を逸脱しない範囲で適宜変更することが可能である。また、本開示は、それぞれの実施の形態を適宜組み合わせて実施されてもよい。
【０１００】
以上、実施の形態を参照して本願発明を説明したが、本願発明は上記によって限定されるものではない。本願発明の構成や詳細には、発明のスコープ内で当業者が理解し得る様々な変更をすることができる。
【０１０１】
この出願は、２０１８年２月１６日に出願された日本出願特願２０１８−０２５７９５を基礎とする優先権を主張し、その開示の全てをここに取り込む。
【０１０２】
上記の実施形態の一部又は全部は、以下の付記のようにも記載されうるが、以下には限られない。
（付記１）
モバイル通信システムにおいて用いられる配信エリアと、前記モバイル通信システムとは異なるアクセスシステムに接続している通信端末の位置を示す位置情報とを関連付けて管理する位置情報管理部と、
前記通信端末の現在位置を示す位置情報に基づいて、前記通信端末と、前記通信端末が所属する配信エリアと、を関連付けて管理する通信端末管理部と、
配信先として前記配信エリアが指定された配信データを受信した場合、配信先を前記配信エリアに関連付けられた前記通信端末に変更した前記配信データを前記通信端末へ送信する通信部と、を備える通信装置。
（付記２）
前記通信端末管理部は、
前記アクセスシステムを介して、前記通信端末から接続を要求するメッセージを受信し、前記メッセージに含まれる位置情報に基づいて、前記通信端末と、前記通信端末が所属する配信エリアと、を関連付けて管理する、付記１に記載の通信装置。
（付記３）
前記通信部は、
前記モバイル通信システムにおいて前記配信エリアを指定したブロードキャスト通信を用いて一斉に複数の通信端末へ送信される配信データを、ユニキャスト通信を用いて前記アクセスシステムに接続している通信端末へ送信する、付記１又は２に記載の通信装置。
（付記４）
前記位置情報は、
前記通信端末の位置、もしくは、前記通信端末が接続している中継装置の位置を示す、付記１乃至３のいずれか１項に記載の通信装置。
（付記５）
前記配信エリアは、
前記モバイル通信システムにおいて定義されたセル、ＴＡ（Tracking Area）、及びＥＡ（Emergency Area）の少なくとも１つを指定されたエリアである、付記１乃至４のいずれか１項に記載の通信装置。
（付記６）
前記通信端末管理部は、
前記メッセージに含まれる位置情報が、前記位置情報管理部において管理されていない場合、前記メッセージの送信元である通信端末の接続を拒否する、付記２に記載の通信装置。
（付記７）
前記通信部は、
前記通信端末管理部において、前記通信端末と関連付けられて管理されている前記配信エリアに関する情報を、前記配信データの配信元である配信装置へ送信する、付記１乃至６のいずれか１項に記載の通信装置。
（付記８）
前記通信部は、
前記通信端末管理部において、前記通信端末と関連付けられて新たに管理される配信エリアに関する情報を、前記配信装置へ送信する、付記７に記載の通信装置。
（付記９）
前記通信部は、前記通信端末管理部から削除された配信エリアに関する情報を、前記配信装置へ送信する、付記７又は８に記載の通信装置。
（付記１０）
モバイル通信システムにおいて用いられる配信エリアと、前記配信エリアに所属する通信端末へ前記通信端末を宛先とする配信データを送信する通信装置とを関連づけて管理する通信装置管理部と、
配信エリアを指定した配信データを、前記配信エリアと関連付けて管理されている通信装置へ送信する通信部と、を備え、
通信装置管理部は、
前記通信装置から、前記通信端末と関連付けて管理されている前記配信エリアに関する情報を受信した場合に、前記配信エリアに関連付けて管理する情報として前記通信装置を追加する、配信装置。
（付記１１）
前記通信装置管理部は、
前記通信装置から、前記通信端末と関連付けて管理されている前記配信エリアを削除したこと示す情報を受信した場合、前記配信エリアと関連付けて管理する情報から前記通信装置を削除する、付記１０に記載の配信装置。
（付記１２）
モバイル通信システムにおいて用いられる配信エリアと、前記モバイル通信システムとは異なるアクセスシステムに接続している通信端末の位置を示す位置情報とを関連付けて管理する位置情報管理部と、前記通信端末の現在位置を示す位置情報に基づいて、前記通信端末と、前記通信端末が所属する配信エリアと、を関連付けて管理する通信端末管理部と、配信先として前記配信エリアが指定された配信データを受信した場合、配信先を前記配信エリアに関連付けられた前記通信端末に変更した前記配信データを前記通信端末へ送信する通信部と、を有する通信装置と、
前記配信エリアと、前記配信エリアに所属する通信端末へ配信データを送信する通信装置とを関連づけて管理する通信装置管理部と、配信エリアを指定した配信データを、前記配信エリアと関連付けて管理されている通信装置へ送信する通信部と、を有する配信装置と、を備える通信システム。
（付記１３）
前記配信装置は、
前記通信装置から、前記通信端末と関連付けて管理されている前記配信エリアを削除したこと示す情報を受信した場合、前記配信エリアと関連付けて管理する情報から前記通信装置を削除する、付記１２に記載の通信システム。
（付記１４）
モバイル通信システムにおいて用いられる配信エリアと、前記モバイル通信システムとは異なるアクセスシステムに接続している通信端末の位置を示す位置情報とを関連付けて管理し、
前記通信端末の現在位置を示す位置情報に基づいて、前記通信端末と、前記通信端末が所属する配信エリアと、を関連付けて管理し、
配信先として前記配信エリアが指定された配信データを受信した場合、配信先を前記配信エリアに関連付けられた前記通信端末に変更した前記配信データを前記通信端末へ送信する、送信方法。
（付記１５）
モバイル通信システムにおいて用いられる配信エリアと、前記モバイル通信システムとは異なるアクセスシステムに接続している通信端末の位置を示す位置情報とを関連付けて管理し、
前記通信端末の現在位置を示す位置情報に基づいて、前記通信端末と、前記通信端末が所属する配信エリアと、を関連付けて管理し、
配信先として前記配信エリアが指定された配信データを受信した場合、配信先を前記配信エリアに関連付けられた前記通信端末に変更した前記配信データを前記通信端末へ送信することをコンピュータに実行させるプログラム。
【符号の説明】
【０１０３】
１０  通信装置
１１  位置情報管理部
１２  通信端末管理部
１３  通信部
２０  ＵＥ
２１  Untrusted Non-3GPP Access
２２  3GPP Access
２３  Ｎ３ＩＷＦ
２４  ＡＭＦ
２５  ＳＭＦ
２６  ＵＰＦ
２７  Data Network
２８  ＣＢＣ
２９  ＣＢＥ
３１  通信装置管理部
３２  通信部
４０  ＡＭＦ
４１  装置種別管理部
４２  通信部
【図１】
2019160061.tif 000003
【図２】
2019160061.tif 000004
【図３】
2019160061.tif 000005
【図４】
2019160061.tif 000006
【図５】
2019160061.tif 000007
【図６】
2019160061.tif 000008
【図７】
2019160061.tif 000009
【図８】
2019160061.tif 000010
【図９】
2019160061.tif 000011
【図１０】
2019160061.tif 000012
【図１１】
2019160061.tif 000013
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
モバイル通信システムにおいて用いられる配信エリアと、前記モバイル通信システムとは異なるアクセスシステムに接続している通信端末の位置を示す位置情報とを関連付けて管理する位置情報管理手段と、
前記通信端末の現在位置を示す位置情報に基づいて、前記通信端末と、前記通信端末が所属する配信エリアと、を関連付けて管理する通信端末管理手段と、
配信先として前記配信エリアが指定された配信データを受信した場合、配信先を前記配信エリアに関連付けられた前記通信端末に変更した前記配信データを前記通信端末へ送信する通信手段と、を備える通信装置。
【請求項２】
前記通信端末管理手段は、
前記アクセスシステムを介して、前記通信端末から接続を要求するメッセージを受信し、前記メッセージに含まれる位置情報に基づいて、前記通信端末と、前記通信端末が所属する配信エリアと、を関連付けて管理する、請求項１に記載の通信装置。
【請求項３】
前記通信手段は、
前記モバイル通信システムにおいて前記配信エリアを指定したブロードキャスト通信を用いて一斉に複数の通信端末へ送信される配信データを、ユニキャスト通信を用いて前記アクセスシステムに接続している通信端末へ送信する、請求項１又は２に記載の通信装置。
【請求項４】
前記位置情報は、
前記通信端末の位置、もしくは、前記通信端末が接続している中継装置の位置を示す、請求項１乃至３のいずれか１項に記載の通信装置。
【請求項５】
前記配信エリアは、
前記モバイル通信システムにおいて定義されたセル、ＴＡ（Tracking Area）、及びＥＡ（Emergency Area）の少なくとも１つを指定されたエリアである、請求項１乃至４のいずれか１項に記載の通信装置。
【請求項６】
前記通信端末管理手段は、
前記メッセージに含まれる位置情報が、前記位置情報管理手段において管理されていない場合、前記メッセージの送信元である通信端末の接続を拒否する、請求項２に記載の通信装置。
【請求項７】
前記通信手段は、
前記通信端末管理手段において、前記通信端末と関連付けられて管理されている前記配信エリアに関する情報を、前記配信データの配信元である配信装置へ送信する、請求項１乃至６のいずれか１項に記載の通信装置。
【請求項８】
前記通信手段は、
前記通信端末管理手段において、前記通信端末と関連付けられて新たに管理される配信エリアに関する情報を、前記配信装置へ送信する、請求項７に記載の通信装置。
【請求項９】
モバイル通信システムにおいて用いられる配信エリアと、前記配信エリアに所属する通信端末へ前記通信端末を宛先とする配信データを送信する通信装置とを関連づけて管理する通信装置管理手段と、
配信エリアを指定した配信データを、前記配信エリアと関連付けて管理されている通信装置へ送信する通信手段と、を備え、
通信装置管理手段は、
前記通信装置から、前記通信端末と関連付けて管理されている前記配信エリアに関する情報を受信した場合に、前記配信エリアに関連付けて管理する情報として前記通信装置を追加する、配信装置。
【請求項１０】
モバイル通信システムにおいて用いられる配信エリアと、前記モバイル通信システムとは異なるアクセスシステムに接続している通信端末の位置を示す位置情報とを関連付けて管理し、
前記通信端末の現在位置を示す位置情報に基づいて、前記通信端末と、前記通信端末が所属する配信エリアと、を関連付けて管理し、
配信先として前記配信エリアが指定された配信データを受信した場合、配信先を前記配信エリアに関連付けられた前記通信端末に変更した前記配信データを前記通信端末へ送信する、送信方法。
【国際調査報告】
2019160061.tif 000014
2019160061.tif 000015
2019160061.tif 000016